(57)【特許請求の範囲】
【請求項１】
空気の流路に接続又は押し込み取付けされる中空のケーシングと、
このケーシング前面に着脱可能に設けられ、空気の吹き出し空間に面して取りつけられる外枠部材と、
ケーシングの内部側であって流路に交差するように設けられ、複数の通気孔を備えた固定羽根と、この固定羽根に対して摺動自在に設けられ、該固定羽根の通気孔に対応する近傍位置に設けられた複数の通気孔を備える可動羽根と、を有するダンパ羽根部と、
可動羽根を駆動させて固定羽根と該可動羽根の通気孔を連通させつつ開閉させる駆動装置と、を有し、
駆動装置は、モータと、このモータの回転軸とロッドを介して接続され該モータの回転を可動羽根のスライド移動に変換させる変換機構と、さらにロッドを常時基準移動範囲位置に復帰付勢させるとともに、ロッドの基準移動範囲を超えてモータが回転する時には該モータ自体をロッドとともに移動させながら、可動羽根の移動を安定化させる移動安定化装置と、を備え、変換機構の変換動作時の可動羽根の開閉動作に対応して、ロッドとモータとが連結状態で移動するように構成されていることを特徴とするダンパー装置。
【請求項２】
空気の流路に接続又は押し込み取付けされる中空のケーシングと、
このケーシング前面に着脱可能に設けられ、空気の吹き出し空間に面して取りつけられる外枠部材と、
ケーシングの内部側であって流路に交差するように設けられ、複数の通気孔を備えた固定羽根と、この固定羽根に対して摺動自在に設けられ、該固定羽根の通気孔に対応する近傍位置に設けられた複数の通気孔を備える可動羽根と、を有するダンパ羽根部と、
可動羽根を駆動させて固定羽根と該可動羽根の通気孔を連通させつつ開閉させる駆動装置と、を有し、
駆動装置は、モータと、このモータの回転軸とロッドを介して接続され該モータの回転を可動羽根のスライド移動に変換させる変換機構と、ロッドを常時基準移動範囲位置に復帰付勢させるとともに、ロッドの基準移動範囲を超えてモータが回転する時には該モータ自体をロッドとともに移動させながら、可動羽根の移動を安定化させる移動安定化装置と、を備え、
変換機構は、ロッドの端部側に対応する位置の固定羽根に設けられ該ロッドの長手方向に沿うように形成された第１長孔と、
可動羽根に設けられこの第１長孔に略対応する位置に形成され、かつ、この第１長孔と交差する方向に形成された第２長孔と、
ロッドに接続され、固定羽根の第１長孔と可動羽根の第２長孔を連通状態で該第１長孔内を移動する第１移動コマと、を含み、変換機構の変換動作時の可動羽根の開閉動作に対応して、ロッドとモータとが連結状態で移動するように構成されていることを特徴とするダンパー装置。
【請求項３】
空気の流路に接続又は押し込み取付けされる中空のケーシングと、
このケーシング前面に着脱可能に設けられ、空気の吹き出し空間に面して取りつけられる外枠部材と、
ケーシングの内部側であって流路に交差するように設けられ、複数の通気孔を備えた固定羽根と、この固定羽根に対して摺動自在に設けられ、該固定羽根の通気孔に対応する近傍位置に設けられた複数の通気孔を備える可動羽根と、を有するダンパ羽根部と、
可動羽根を駆動させて固定羽根と該可動羽根の通気孔を連通させつつ開閉させる駆動装置と、を有し、
駆動装置は、モータと、このモータの回転軸とロッドを介して接続され該モータの回転を可動羽根のスライド移動に変換させる変換機構と、ロッドを常時基準移動範囲位置に復帰付勢させるとともに、ロッドの基準移動範囲を超えてモータが回転する時には該モータ自体をロッドとともに移動させながら、可動羽根の移動を安定化させる移動安定化装置と、を備え、
変換機構は、ロッドの端部側に対応する位置の固定羽根に設けられ該ロッドの長手方向に沿うように形成された第１長孔と、
端部がこの第１長孔を貫通して設けられ基部側を可動羽根に立設固定されたピンを有する第２移動コマと、を含み、変換機構の変換動作時の可動羽根の開閉動作に対応して、ロッドとモータとが連結状態で移動するように構成されていることを特徴とするダンパー装置。
【請求項４】
変換機構は、ロッドの端部側と第１又は第２移動コマとを螺合連結させる螺合連結部を含み、該ロッドの回転とともに該第１又は第２移動コマを螺進退させるようにしてなる請求項２または３記載のダンパー装置。
【請求項５】
移動安定化装置は、ロッドが所定の基準移動範囲を移動するときにはその付勢力を作用させないとともに、該ロッドがその基準移動範囲を超える方向に向かうようにモータが回転する時には該ロッドを基準移動範囲位置に復帰させる付勢力を付与する付勢装置と、
ロッドの基準移動範囲を超えてモータが回転する時には該モータ自体とロッドとを移動させ、該モータの停止位置を感知する感知装置と、を備えてなる請求項１ないし４のいずれかに記載のダンパー装置。
【請求項６】
移動安定化装置は、ロッドが所定の基準移動範囲を移動するときにはその付勢力を作用させないとともに、該ロッドがその基準移動範囲を超える方向に向かうようにモータが回転する時には該ロッドを基準移動範囲位置に復帰させる付勢力を付与する付勢装置と、
ロッドの基準移動範囲を超えてモータが回転する時には該モータ自体とロッドとを移動させ、該モータの停止位置を感知する感知装置と、を備え、
付勢装置は、第１又は第２移動コマが第１長孔内の移動範囲を移動するときにはその付勢力を作用させないとともに、該第１又は第２移動コマがその移動範囲を超える方向にロッドが向かうようにモータが回転する時には該ロッドを基準移動範囲位置に復帰させる付勢力を付与し、
感知装置は、モータの両側離隔位置に配置され、第１又は第２移動コマが第１長孔内の移動端に至りさらに該モータが回転する時には該モータ自体とロッドとを移動させ、該モータに当接して停止位置を感知することを特徴とする請求項２ないし４のいずれかに記載のダンパー装置。
【請求項７】
モータ、ロッド、変換機構およびは、外枠部材と、ダンパ羽根部との間に配置されてなる請求項１ないし６のいずれかに記載のダンパー装置。
【請求項８】
固定羽根または可動羽根のうち少なくとも風流れ上流側に配置された羽根の通気孔は断面視風流れ上流側に向けて拡大するように形成されてなる請求項１ないし７のいずれかに記載のダンパー装置。
【発明の詳細な説明】
【０００１】
【発明の属する技術分野】
本発明は、室内壁面等に取り付けられる空気吹き出し部分を一体化させたダンパー装置に関する。
【０００２】
【従来の技術】
室内、廊下、その他の家屋内に格子状のグリル枠を配置させて空調空気を吹き出すグリル型の吹出口が知られている。このグリル型の吹出口は通常は室内の壁面に埋め込み状に設置され、メインダクト側に設けた空調機から送気される空調空気を吹き出す。図２１は、従来のグリル型吹出口の取り付け状態を示しており、メインダクトＭの側面側から分岐ダクトＴをＬ字状に連通接続させ、この分岐ダクトＴにＶＡＶダンパー（Ｖａｒｉａｂｌｅ  Ａｉｒ  Ｖｏｌｕｍｅ  Ｄａｍｐｅｒ）を接続させ、更にその下流側に横長矩形状で格子状のグリル羽根Ｇを備えたチャンバーボックスＨを取り付けて、同グリル羽根Ｇの間隙から所要の空調空気を吹出すようになっている。
【０００３】
【発明が解決しようとする課題】
このような従来のグリル型吹出口は、図１５に示すように、室内等で壁面の上方、すなわち、例えばホテルの室内等において１ｍ９０ｃｍ程度であって、人が立った状態で斜め上方に仰ぎ見る角度に設置してあり、在室者にとって吹き出す空調空気に直接に晒される可能性が高いから、空調の効率は勿論のこと、きめの細かな風量や温湿度設定に対応して高精度の風量制御機能を要求される。しかも、在室者に至近距離で設置されるから、騒音を生じさせることがないとともに、良好な意匠感を保持する必要がある。また、一般に吹き出し空間となる室内等の用途によっては吹出口部分をノズル形状、その他の枠形状として構成する場合もあり、このような場合に精度の良い風量制御を行なえ、しかも騒音を生じさせず、かつ良好な意匠感を保有し得るような吹出口部分を一体化させたダンパーがなくその出現が望まれていた。また、特に、このような吹出口部分については従来、分岐ダクト、ダンパー接続用ダクト、空調チャンバー等を壁の裏面側、或は壁内部での埋め込み状態で接続させて施工しており、吹出口とダンパー設置箇所が離れているから、吹出空気のテストや確認作業が煩雑で立ち上げや、保守、点検作業に手間取るという欠点があった。また、建築物の改修工事等の際に、壁や天井の裏面側に配置させたダンパーの交換作業とともに、吹出口の補修、或は交換作業が別に必要となるから、作業効率全体の向上を阻害する要因ともなっていた。
【０００４】
本発明は、上記従来の問題点に鑑みてなされたものであり、その目的は、ＶＡＶダンパーのような室内の温湿度条件を検知しながらそれに対応した空調空気を供給でき得るような高精度の風量制御機能を備え、低騒音で在室者に耳障りな雑音を生じさせず、しかも意匠感も整い、さらに建築物の増、改築、新築工事などの際にも設置、保守、点検、補修作業効率を大幅に向上させることのできるダンパー装置を提供することにある。
【０００５】
【課題を解決するための手段】
上記目的を達成するために、本発明は、空気の流路Ｐに接続又は押し込み取付けされる中空のケーシング１２と、このケーシング１２前面に着脱可能に設けられ、空気の吹き出し空間に面して取りつけられる外枠部材１１と、ケーシング１２の内部側であって流路Ｐに交差するように設けられ、複数の通気孔２２ａを備えた固定羽根２２と、この固定羽根２２に対して摺動自在に設けられ、該固定羽根２２の通気孔２２ａに対応する近傍位置に設けられた複数の通気孔２４ａを備える可動羽根２４と、を有するダンパ羽根部１６と、可動羽根２４を駆動させて固定羽根２２と該可動羽根２４の通気孔２２ａ，２４ａを連通させつつ開閉させる駆動装置２８と、を有し、駆動装置２８は、モータ３０と、このモータ３０の回転軸とロッド４８を介して接続され該モータ３０の回転を可動羽根２４のスライド移動に変換させる変換機構３２と、さらにロッド３０を常時基準移動範囲位置に復帰付勢させるとともに、ロッド４８の基準移動範囲を超えてモータ３０が回転する時には該モータ３０自体をロッド４８とともに移動させながら、可動羽根３５の移動を安定化させる移動安定化装置７６と、を備え、変換機構３２の変換動作時の可動羽根３５の開閉動作に対応して、ロッド４８とモータ３０とが連結状態で移動するように構成されていることを特徴とするダンパー装置１０から構成される。
【０００６】
また、本発明は、空気の流路Ｐに接続又は押し込み取付けされる中空のケーシング１２と、このケーシング１２前面に着脱可能に設けられ、空気の吹き出し空間に面して取りつけられる外枠部材１１と、ケーシング１２の内部側であって流路Ｐに交差するように設けられ、複数の通気孔２２ａを備えた固定羽根２２と、この固定羽根２２に対して摺動自在に設けられ、該固定羽根２２の通気孔２２ａに対応する近傍位置に設けられた複数の通気孔２４ａを備える可動羽根２４と、を有するダンパ羽根部１６と、可動羽根２４を駆動させて固定羽根２２と該可動羽根２４の通気孔２２ａ，２４ａを連通させつつ開閉させる駆動装置２８と、を有し、駆動装置２８は、モータ３０と、このモータ３０の回転軸とロッド４８を介して接続され該モータ３０の回転を可動羽根２４のスライド移動に変換させる変換機構３２と、さらにロッド３０を常時基準移動範囲位置に復帰付勢させるとともに、ロッド４８の基準移動範囲を超えてモータ３０が回転する時には該モータ３０自体をロッド４８とともに移動させながら、可動羽根３５の移動を安定化させる移動安定化装置７６と、を備え、変換機構３２は、ロッド４８の端部側に対応する位置の固定羽根２２に設けられ該ロッド４８の長手方向に沿うように形成された第１長孔６０と、可動羽根２４に設けられこの第１長孔６０に略対応する位置に形成され、かつ、この第１長孔６０と交差する方向に形成された第２長孔６２と、ロッド４８に接続され固定羽根２２の第１長孔６０と可動羽根２４の第２長孔６２を連通状態で該第１長孔６０内を移動する第１移動コマ５６と、を含み、変換機構３２の変換動作時の可動羽根３５の開閉動作に対応して、ロッド４８とモータ３０とが連結状態で移動するように構成されていることを特徴とするダンパー装置１０から構成される。
【０００７】
また、本発明は、空気の流路Ｐに接続又は押し込み取付けされる中空のケーシング１２と、このケーシング１２前面に着脱可能に設けられ、空気の吹き出し空間に面して取りつけられる外枠部材１１と、ケーシング１２の内部側であって流路Ｐに交差するように設けられ、複数の通気孔２２ａを備えた固定羽根２２と、この固定羽根２２に対して摺動自在に設けられ、該固定羽根２２の通気孔２２ａに対応する近傍位置に設けられた複数の通気孔２４ａを備える可動羽根２４と、を有するダンパ羽根部１６と、可動羽根２４を駆動させて固定羽根２２と該可動羽根２４の通気孔２２ａ，２４ａを連通させつつ開閉させる駆動装置２８と、を有し、駆動装置２８は、モータ３０と、このモータ３０の回転軸とロッド４８を介して接続され該モータ３０の回転を可動羽根２４のスライド移動に変換させる変換機構３２と、さらにロッド３０を常時基準移動範囲位置に復帰付勢させるとともに、ロッド４８の基準移動範囲を超えてモータ３０が回転する時には該モータ３０自体をロッド４８とともに移動させながら、可動羽根３５の移動を安定化させる移動安定化装置７６と、を備え、変換機構３２は、ロッド４８の端部側に対応する位置の固定羽根２２に設けられ該ロッド４８の長手方向に沿うように形成された第１長孔６０と、端部がこの第１長孔６０を貫通して設けられ基部側を可動羽根に立設固定されたピンを有する第２移動コマ９６と、を含み、変換機構３２の変換動作時の可動羽根３５の開閉動作に対応して、ロッド４８とモータ３０とが連結状態で移動するように構成されていることを特徴とするダンパー装置１０から構成される。
【０００８】
また、変換機構３２は、ロッド４８の端部側と第１又は第２移動コマ５６、９６とを螺合連結させる螺合連結部５０を含み、該ロッド４８の回転とともに、該第１又は第２移動コマ５６、９６を螺進退させるようにしてなることとしても良い。
【０００９】
また、移動安定化装置７６は、ロッド４８が所定の基準移動範囲を移動するときにはその付勢力を作用させないとともに、該ロッド４８がその基準移動範囲を超える方向に向かうようにモータ３０が回転する時には該ロッド４８を基準移動範囲位置に復帰させる付勢力を付与する付勢装置７８と、ロッド４８の基準移動範囲を超えてモータ３０が回転する時には該モータ３０自体とロッド４８とを移動させ、該モータ３０の停止位置を感知する感知装置４２と、を備えてなることとしても良い。
【００１０】
また、移動安定化装置７６は、ロッド４８が所定の基準移動範囲を移動するときにはその付勢力を作用させないとともに、該ロッド４８がその基準移動範囲を超える方向に向かうようにモータ３０が回転する時には該ロッド４８を基準移動範囲位置に復帰させる付勢力を付与する付勢装置７８と、ロッド４８の基準移動範囲を超えてモータ３０が回転する時には該モータ３０自体とロッド４８とを移動させ、該モータ３０の停止位置を感知する感知装置４２と、を備え、付勢装置７８は、第１又は第２移動コマ５６、９６が第１長孔６０内の移動範囲を移動するときにはその付勢力を作用させないとともに、該第１又は第２移動コマ５６、９６がその移動範囲を超える方向にロッド４８が向かうようにモータ３０が回転する時には該ロッド４８を基準移動範囲位置に復帰させる付勢力を付与し、感知装置４２は、モータ３０の両側離隔位置に配置され、第１又は第２移動コマ５６、９６が第１長孔６０内の移動端に至りさらに該モータ３０が回転する時には該モータ自体３０とロッドとを移動させ、該モータ３０に当接して停止位置を感知することとしても良い。
【００１１】
また、モータ３０、ロッド４８及び変換機構３２は、外枠部材１４と、ダンパ羽根部１６との間に配置されてなることとしても良い。
【００１２】
さらに、固定羽根２２または可動羽根２４のうち少なくとも風流れ上流側に配置された羽根の通気孔（２２ａ、２４ａ）は断面視風流れ上流側に向けて拡大するように形成されてなることとしても良い。
【００１３】
【発明の実施の形態】
本発明のダンパー装置は、空気の流路に接続又は押し込み取付けされる中空のケーシングと、このケーシング前面に着脱可能に設けられ、空気の吹き出し空間に面して取りつけられる外枠部材と、前記ケーシングの内部側であって前記流路に交差するように設けられ、複数の通気孔を備えた固定羽根と、この固定羽根に対して摺動自在に設けられ、該固定羽根の通気孔に対応する近傍位置に設けられた複数の通気孔を備える可動羽根と、を有するダンパ羽根部と、前記可動羽根を駆動させて前記固定羽根と該可動羽根の通気孔を連通させつつ開閉させる駆動装置と、を有し、前記駆動装置は、モータと、このモータの回転を前記可動羽根のスライド移動に変換させる変換機構と、を備えている。
【００１４】
ケーシングの形状は流路の形状に対応して、あるいは必要に応じて丸型、その他の形状としても良い。可動羽根は上下スライド移動の他に左右方向にもスライドさせ得るようにして連通孔を開閉させるようにしても良い。モータの回転を可動羽根のスライド移動に変換する変換機構の具体的な構成は任意の構成で良く、たとえば、ベルト、チェーン、歯車機構等、その他の構成としても良い。外枠部材は、室内等に面して配置され、空気の吹出口を形成する。空調用のグリルのように格子状のもの、縦、横方向の羽根、或は柵状のもの、ノズル形状のものその他の枠部材であり、固定的に用いたり、或はルーバのように可動にして用いたりしても良い。風向の設定、調整機能の他、ケーシング内部の固定及び可動羽根の保護、意匠感の保持等の機能をもったものである。
【００１５】
前記モータの回転軸にはロッドが接続されるとともに、このロッドの他端部は前記変換機構に接続され、前記モータ、ロッド及び変換機構は空気の流れに交差し、かつ、横方向に直列状に連結配置されている。ロッドを用いることによりモータや変換機構の配置に自由度が増すから好適である。そして、この効率の良い出力を得る構成を例えばグリル型のダンパー装置に適用するときには、モータ、ロッド及び変換機構はケーシングの横長の長手方向に沿うように直列状に連結配置させることがグリルの前面側のサイズ上の制約に対応してコンパクトに形成できる。これらの部材、あるいは装置はできるだけ固定羽根等の下端側に配置させる方が好適である。羽根の重心部分に変換機構を配置させ、この部分を駆動させることにより駆動のための効率も良好である。
【００１６】
モータ、ロッド及び変換機構は、前記外枠部材と、前記ダンパ羽根部との間に配置しても良い。ダンパ羽根部のさらに上流側に配置させても良いが、風速センサは風の乱れを生じさせるものをできるだけ置いていないような流路だけの部分に配置させた方が検知精度が高くなるから、ケーシング内での一体化を行なう場合には、このように駆動装置をダンパ羽根部よりも流れ下流側に配置させる方がより好適である。
【００１７】
変換機構は、前記ロッドの端部側に対応する位置の固定羽根に設けられ、該ロッドの長手方向に沿うように形成された第１長孔と、前記可動羽根に設けられ、この第１長孔に略対応する位置に形成され、かつ、この第１長孔と交差する方向に形成された第２長孔と、前記ロッドに接続され、前記固定羽根の第１長孔と可動羽根の第２長孔を連通状態で該第１長孔内を移動する第１移動コマと、を含むようにしても良い。羽根そのものにスライド移動案内のための長孔を形成しているので、ダンパ羽根部に近接させた位置に変換機構を構成でき、薄型に製作できて施工、取付上の自由度が高い。しかも、構造が簡単である。可動羽根を上下方向にスライドさせる場合に効果的である。
【００１８】
前記変換機構は、前記ロッドの端部側に対応する位置の固定羽根に設けられ、該ロッドの長手方向に沿うように形成された第１長孔と、端部がこの第１長孔を貫通して設けられ、基部側を前記可動羽根に立設固定されたピンを有する第２移動コマと、を含むようにしても良い。変換のための機構としては、ロッドの回転に伴い、該ロッドの長手方向に進退させる機構だけで良く、構造が簡単で、部品点数も少ないから低コストに製作できる。固定羽根に対して横スライド移動することにより通気孔を開閉する機構のものに効果的である。
【００１９】
前記変換機構は、前記ロッドの端部側と前記第１又は第２移動コマとを螺合連結させる螺合連結部を含み、該ロッドの回転とともに該第１又は第２移動コマを螺進退させるようにしても良い。これによってモータの回転運動を該第１又は第２移動コマの直線的な進退運動に変換させる機構を実現する。
【００２０】
前記モータは横移動自在に支持され、前記モータ近傍には前記ロッドを常時基準移動範囲位置に復帰付勢させるとともに、前記モータが前記ロッドの基準移動範囲を超えて回転する時には該モータ自体を横移動させる移動安定化装置が設けられるようにしても良い。可動羽根のスライド移動の駆動力を与える移動機構の移動安定化を実現させる。
【００２１】
前記移動安定化装置は、前記ロッドを所定の基準移動範囲位置に付勢し、前記第１又は第２移動コマが前記第１長孔内の移動範囲を移動するときにはその付勢力を作用させないとともに、該第１又は第２移動コマがその移動範囲を超える方向に前記ロッドが向かうように前記モータが回転する時には該ロッドを基準移動範囲位置に復帰させる付勢力を付与する付勢装置と、前記モータの両側離隔位置に配置され、前記第１又は第２移動コマが第１長孔内の移動端に至りさらに該モータが回転する時には該モータ自体を横移動させ、該モータに当接して停止位置を感知する感知装置と、を備えるようにしても良い。付勢装置、及び感知装置の具体的な付勢力付与構成、あるいは感知方式は任意に設定しても良い。感知装置は通常は近接スイッチで良く、高周波型、磁気型、容量型、光近接スイッチその他従来のリミットスイッチ等任意のものを用いて良い。また、付勢装置は、コイルバネでなくゴム、板バネ、形状記憶部材その他の任意の弾性部材を用いて良い。付勢箱は設けずとも単なるロッドの軸受のみでも良い。
【００２２】
【実施例】
以下、添付図面を参照しながら、本発明の好適な実施例を説明する。図１なしい図５には、本発明の１つの実施例に係るダンパー装置１０が示されている。
【００２３】
図３において、このダンパー装置１０は、室内の壁面Ｗから所要の厚み幅だけ突出させたケーシング１２と、このケーシング１２の前面を覆うように同前面側に着脱自在に取りつけられた外枠部材１１としてのグリル枠１４と、該グリル枠１４の内部側であって、ケーシング１２内部に設置したダンパ羽根部１６と、該ダンパ羽根部１６の可動羽根を駆動させる駆動装置とを備えており、装置１０全体が該ケーシング１２内に収納された状態で配置されている。
【００２４】
図３の実施例において、ケーシング１２は、鋼板等の金属板からなり、内側にはグラスウールその他の断熱材Ｒが内張り貼着されている。このケーシング１２は、図１、２、４にも示すように、中空で横長直方体形状に構成されており、図示しないメインダクト等に連通するダクト等の風の流路Ｐに連通接続される。このケーシング１２は空気の流路に室内側から押し込み取付けるようにしても良い。
【００２５】
外枠部材１１は、空気の吹き出し空間に面して設けられるものであり、例えば、建物の室内や廊下、その他の空間に前面側を臨ませるようにして取りつけられている。この外枠部材は、空気の吹出口を形成するとともに、風向の設定、調整機能の他、ケーシング内部の固定及び可動羽根の保護、意匠感の保持等の機能を有するものである。
【００２６】
図１、３に示すようにケーシング１２の前面には縦グリル羽根２０及び横グリル羽根１８を備えたグリル枠１４が図示しないロック解除用の押圧部を備えた付勢ロック機構を有する公知の着脱機構により着脱自在に取りつけられている。本実施例では正面視横方向に水平に架設された横グリル羽根１８がグリル枠１４に取りつけられるとともに、該横グリル羽根１８に直交するように縦グリル羽根２０が取りつけられている。これらのグリル羽根１８、２０は、グリル枠から突設された図示しない枢支ピンに枢支されてそれぞれの羽根の長手方向を軸として軸回りに回動し、かつ回動位置で停止するように取りつけられている。これらの各縦又は横グリル羽根は固定状態で設けても良い。またグリル枠はビス止め等により着脱可能に設けるようにしても良い。
【００２７】
図２、図３に示すように、ケーシング１２の内部側、すなわち、前面のグリル羽根の内奥側には前記した空気の流路Ｐに交差するようにダンパ羽根部１６が取りつけられている。
【００２８】
このダンパ羽根部１６は、金属製、或は軽金属などからなる固定羽根２２と可動羽根２４からなる。固定羽根２２は、ケーシング内部のケーシング流路を塞ぐように流路Ｐに交差する方向に配置され、該ケーシング１２に外周側が密着状に固定されている。この固定羽根２２には複数の通気孔２２ａが設けられている。図２において、グリル枠１４の略内径に一致し、一端側に制御箱の取付位置を除いた残余の部分に鋼板製の矩形形状の薄板に複数のパンチング丸孔を穿孔させて固定羽根２２が固定されている。
【００２９】
一方、この固定羽根２２には摺動自在に可動羽根２４が設けられている。この可動羽根２４は、固定羽根２２と略同一の大きさの矩形鋼板製からなり、固定羽根２２の通気孔２２ａ位置に対応する位置に複数の通気孔２４ａが穿孔されている。これら固定羽根２２及び可動羽根２４は互いに密着状に重ね合わせられて配置されている。したがって、固定及び可動の相互の通気孔２２ａ及び２４ａが連通する状態から可動羽根２４がスライド移動すると相互の連通孔２３がその連通面積を変化させ、空気の流量を制御することとなる。
【００３０】
このように図３に示すように、極めて薄く重なり合った状態でダンパー機能を行なうので室内の壁面という在室者に至近の位置に取りつけられ、壁面から大きく突出して取りつけることが室内意匠感上、制約されるようなグリル型の吹出口についてケーシング１２に一体的に組み込んで構成することが可能である。よって、メインダクトからの接続用の分岐ダクト、Ｌ字ダクト、接続用短管等が不要となり、しかも製品管理、保守、維持管理等を行ないやすいものとなる。
【００３１】
さらに、該ダンパー装置１０は、複数の通気孔２２ａ、２４ａを備えた固定羽根２２と可動羽根２４によるスライド羽根構成であるから、空気の通流による音が非常に静かであり、よって、消音用のチャンバー等を別体に設ける必要がない。従って、製品コストも安価で、コストパフォーマンスも高い。
【００３２】
図２、図５において、可動羽根２２の四隅寄り位置４箇所には正面視縦方向に長い長孔２６が形成されている。そして、この長孔２６に略対応する位置であって、前記固定羽根２２には４個の案内ピン２７が該可動羽根２２の長孔２６を貫通して突設されている。従って、可動羽根２２はこの長孔２６及び案内ピン２７により縦方向である上下にはスライド移動するが、横方向には移動しないようになっている。そして、可動羽根２４の上下移動に伴い、連通孔２３が開閉方向に変化することとなる。
【００３３】
本実施例において、このダンパー羽根を上下方向にスライドさせるようにすることは、室内に面して配置される本装置１０のグリル枠１４が与える室内意匠感と大きく関連している。スライド羽根で左右方向への可動羽根の変化では空気は左右に振られて向きを変える。従って、ダンパー羽根側で左右に振られる風を室内側のグリル羽根で例えば直進方向の空気流として補正するためには、当然グリル羽根を左右方向に向けるように回動調整しなければならない。すると、在室者から見て、特に１ｍ９０ｃｍ程度の高さの仰角位置の壁面に取りつけられるグリル吹出口では左右のグリル羽根の変向状態は非常に目立ちやすく、これによって室内意匠感を著しく損なう。これに対し、ダンパー羽根としてのスライド羽根側を上下のスライド調整により上下への空気の変向を生じさせるようにすればグリル羽根側も上下への回動調整を行うこととなる。在室者から見てこのような仰角に位置する壁面に取りつけられたグリル羽根を上下に回動して調整する場合には大きな変向を行なったとしても単に横方向の肉厚状の水平の線が若干見られる程度であり、通常は、ちょうど通気孔が正面に見えるような位置関係となる。従って、ダンパー羽根を上下にスライド移動するようにして目立たないのではあるが、室内意匠感として極めて整った感じを与える。この点から本実施例では、外枠部材としてのグリル枠１４の横グリル羽根を少なくとも上下に揺動し得るように枢支させ、さらにその内部側に配置させたダンパ羽根部１６の可動羽根２４を上下にスライドさせるようにして、ダンパー装置自体の取付位置を利用して上下方向のグリル羽根の変化で風向調整をさせるようにし、室内意匠感をも良好に保持させるようにしている。
【００３４】
図２、３において、実施例に係るダンパー装置は、前記ダンパ羽根部１６の可動羽根２４を駆動させ固定羽根及び可動羽根の通気孔２２ａ（２４ａ）を連通させつつ開閉を行なう駆動装置２８を備えている。
【００３５】
実施例において、この駆動装置２８は、モータ３０と、変換機構３２と、を備えている。図において、このモータ３０と、変換機構３２は空気の流れに交差し、かつ、横方向に直列状に連結配置されている。すなわち、ケーシング１２の横長の長手方向に沿うように直列状に連結されて配置されている。しかも、図３に示すように、実施例においてはこれらのモータ３０及び変換機構３２を含む駆動装置２８は、ケーシング１２内であって、縦、横のグリル羽根２０、１８とダンパー羽根部１６との間に配置されている。このように、ダンパー羽根部１６を通気孔を備えた固定及び可動のスライド羽根構成としているから、低騒音構造としながら、ダンパー機能を有し、しかもその羽根駆動装置を内部に組み込んで、ケーシングに一体的に構成できるようにさせつつ１個のＶＡＶダンパーとして機能できる。
【００３６】
さらに、モータ３０、ロッド４８及び変換機構３２は、外枠部材１１と、ダンパ羽根部１６との間に配置されている。したがって、室内前面側に駆動装置を備えることとなり、グリル枠１４を簡易に脱着して駆動機器の保守、点検等が容易である。また、風速センサとの取付バランスがよく、上流側に配置する風速センサの周囲に風の流れを妨げるものがなく、高精度の風速検出を行なうものである。
【００３７】
実施例において、図２に示すように駆動装置２８は正面視下端であり、かつ、左端側に寄せて配置されている。図３、５において、固定羽根２２は前面側、すなわち室内側に設置され、可動羽根は風の上流側に配置されている。そして、固定羽根２２には支持枠３４が固定されている。そして、この支持枠３４内に収容されるように駆動モータ３０が横移動自在に取りつけられている。すなわち、支持枠３４は中空筒状に形成され、上面側に孔３６が穿孔されるとともに、側面側には軸孔３８が穿孔されている。そして、この軸孔にモータ３０の回転軸の軸受が軸の長手方向にスライド移動自在に軸支されており、これによって、該モータ３０は図６、７、８において、横移動自在に支持されている。
【００３８】
図に示すように、電動のモータ３０は支持枠３４内において横向きに配置され、該モータの上面から側面側にかけてＬ字板状のアダプタ枠４０が固定されている。このアダプタ枠４０の上面には叩打ピン４１が上方に向けて突設されている。そして、モータ３０の回転軸３０ａを軸孔３８に貫通させて軸支させるとともに、この叩打ピン４１の上端側を前記孔３６に突出させている。また、このアダプタ枠４０は図示しない案内ロッドが横方向に取りつけられており、このロッド先端が固定羽根側に突設させた受け片に形成した孔に貫入して、該モータ３０自体は左右方向にあたかも浮動状態で移動するように設けられている。
【００３９】
前記支持枠３４の上板の下面側であって叩打ピン４１近傍には感知装置４２が設けられている。この実施例では該叩打ピン４１を挟装するような位置であって支持枠３４の上板下面側に感知装置としてのマイクロスイッチ４４が取りつけられている。これによってモータ３０が左右方向に移動して叩打ピン４１が左右いずれかのマイクロスイッチを叩打すると、所望のスイッチング操作が得られるようになっている。すなわち、駆動装置２８は、後述の移動安定化装置７６を含む。
【００４０】
図２、図５においてモータ３０の回転軸にはスリーブ４６を介して長い棒状のロッド４８が連結接続されている。そして、このロッド４８の他端側が変換機構３２に接続されている。このように、モータ３０、ロッド４８及び変換機構３２は空気の流れに交差し、かつ、ケーシング１２の横長の長手方向に沿うように横方向に直列状に連結配置されている。したがって、薄型のケーシング構成にさらに薄型の固定羽根と可動羽根のスライド式のダンパー羽根構造であって、ケーシング内部に一体化させて駆動装置を設置させることができ、装置の薄型、コンパクト化を実現させることとなる。しかも、室内空調状態をフィードバックさせて制御を行なうＶＡＶ方式に好適に適用できる。
【００４１】
実施例においては、ケーシングの長手方向に沿って配置したロッドの回転を変換機構３２により可動羽根の上下方向へのスライド移動に変換する。このような変換機構を用いてモータ回転軸の回転を直線的なしかも上下方向の運動に変換して羽根の移動の制御を行なうから横長のグリル型のダンパー装置に対してもその隅部、すなわち、各長辺、あるいは短辺側の辺縁に沿って配置することができ、よって、これをケーシング内に一体的に組み込むときには単に隅部や辺縁の一部に配置させることができる。したがって、風速センサを風流れの略中央位置に配置した時に流れを妨げる部分が少なくなり、そのぶん風速の検出精度が大幅に向上し、室内負荷側に対応した正確な空調空気の供給を行なうことができるものである。
【００４２】
図６ないし８に見られるように、このロッド４８の他端部側には螺子溝５０ａが刻設されている。実施例において、変換機構３２は、螺合連結部５０と、第１長孔６０と、第２長孔６２と、第１移動コマ５６と、を含む。図３、６において、ロッド４８の端部に略対応する位置である固定羽根２２には、コ字板状のガイド枠５８が固定されている。そして、図５に示すように、該ロッド４８の端部側に対応する位置（ほぼ同じ位置）の固定羽根には該ロッド４８の長手直線方向に沿うように案内用の第１長孔６０が設けられている。
【００４３】
また、この固定羽根２２に密着摺動する可動羽根２４には、この第１長孔６０に略対応する位置に第２長孔６２が穿孔されている。図に示すように、この可動羽根２４の第２長孔６２は、第１長孔６０と交差する方向に長く形成されている。実施例において、図の破線示のように、第１長孔の長手方向を基準にして約３０度程の角度差により第２長孔６２が穿孔形成されている。一方、コ字板状のガイド枠５８は、同コ字板の中間に間隙Ｓが形成されている。そして、この上面にも前記した固定羽根２２の第１長孔６０と対応する位置に長孔６４が穿孔されている。そして、このコ字板の間隙Ｓ内に突入し、先端を突出させるように螺子溝部５０を備えたロッド４８の軸端が配置される。
【００４４】
実施例において、この間隙Ｓ内には第１移動コマ５６が配置されている。この第１移動コマ５６は、図６ないし９に示すように、略六角柱形状であり、その胴側には横方向に図示しない貫通螺子孔が穿孔されている。そして、ロッド４８の螺子溝５０ａがこの第１移動コマ５６の貫通螺子孔に螺合して配置されている。これら、ロッド４８の螺子溝５０ａ及び第１移動コマ５６の貫通螺子孔により螺合連結部５０が形成され、これによって、モータ３０の回転によりロッド４８を回転させ、これに螺合する第１移動コマ５６を該ロッドの長手方向へ螺進退させて直線運動に変換させる。これによって、モータの回転力を極めて簡単な構造で移動コマの直進移動に変換させることができ、低コストで、故障が少なく、保守、点検も簡単に行なえる。
【００４５】
この六角柱状の第１移動コマ５６の上面略中心から上方に向けて係合ピン６６が突設され、この係合ピン６６の上端は前記ガイド枠の長孔６４を貫通して突出配置されている。また、この第１移動コマ５６の下面略中心から下方に向けて係合ピン６８が取りつけられており、この係合ピン６８の先端は前記した固定羽根及び可動羽根の第１及び第２長孔６０、６２が連通する状態で両孔を貫通状に突設させている。
【００４６】
このように、第１移動コマ５６はロッド４８の螺子溝５０ａに螺合する貫通螺子孔を有するとともに、固定及び可動羽根の第１及び第２長孔６０、６２を貫通して突設する係合ピン６８を備えているので、ロッド４８の回転にともない、第１移動コマ５６が左右方向に螺進し、第１移動コマの係合ピン６８が第１長孔６０内を直進し、このときの可動羽根２４の第２長孔６２の第１長孔に対する角度差に対応した縦方向、すなわち上下方向の長さぶんを可動羽根２２が上下に移動することとなる。よって、この実施例の横長の形状が限られたダンパー装置において、横長のロッドの長手方向の動きを簡単な構成で、円滑な上下の動きに変換させることができ、低コストのＶＡＶダンパーを製造でき、しかも、取付、交換性に優れたダンパー装置とするものである。
【００４７】
ここにおいて、ケーシングの長手方向に沿ってモータ、ロッド、変換機構を配置させ、しかも螺合連結部における螺子溝と第１移動コマの貫通螺子孔との螺合連結により第１移動コマを螺進退移動させて可動羽根を上下方向に移動させるようにしているので、モータの回転を高精度に可動羽根の変位量に反映させることができ、高精度の風量調整、ひいてはＶＡＶダンパーとして室内温湿度に対応した空調空気を正確に供給することが可能となる。また、実施例において、これを在室者に至近の位置である室内に面して取りつけられるグリル型、ノズル型その他の吹き出し構成を備えたダンパーとして構成でき、低騒音でしかも良好な意匠感をグリル羽根の風向調整に際しても保持でき、同時に吹出口としての機器と、空調ダンパーとしての機器を一体化させることができ、設備コストを低減させることができる。また、グリル枠１４はケーシング１２に対して着脱自在であり、かつ、駆動装置２８はそのすぐ後ろに配置されているから壁、床の裏面側や天井裏面側などの入りにくい空間での作業を必要とせず、据付け、保守、点検、修理が非常に簡単で、作業を円滑に行なえる。
【００４８】
図３において、ケーシング１２内であってダンパ羽根部１６のすぐ後ろ側にはメッシュ状の空気フィルタ７０が装着、離脱自在に嵌装されている。該空気フィルタ７０の下面側のケーシング１２には開閉式の蓋７２が取りつけられている。また、７４は固定羽根２２に支持され、流路の略中央側に配置された風速センサである。このように風速センサ７４は空気の上流側に配置し、しかも流路Ｐ以外には風の流れを妨げるものがないので乱流を生じさせるものがなく、よって、風速の検知精度も非常に高いものであり、よって、予め設定された室内側の温湿度状態に向けて適正な空調空気を供給することとなる。また、図２に示すように前面のグリル枠１４の右端側には制御装置７５が設けられ、実施例ではＶＡＶシステムを構成すべく、室内側の温度センサ、及び風速センサに電気的に連係して室内温度と設定温度の温度差に対応した制御空気を供給するためにモータ３０の駆動制御を行なう。
【００４９】
風速センサ７４の支持構造は図１４に示すようにしても良い。図３の実施例では風速センサ７４を取りつけたＶ字状の支持脚は固定羽根２２に取り付けられ、可動羽根２４及び空気フィルタ７０に同可動羽根の移動範囲に対応する切欠を設ける必要があるが、空気フィルタ７０よりも上流側に縦に支持ステー７７を取り付け、この支持ステー７７にＶ字状の支持脚を固定させて該空気フィルタ７０を上流側に支持させても良く、この場合は空気フィルタ７０の保守、交換が簡単となる。この場合にもセンサ取り付け位置近縁に直接的な乱流を生じさせるものがなく、良好な検知精度による風速検知を行なえる。
【００５０】
さらに、本実施例において、モータ３０の近傍には可動羽根２４の移動を安定化させる移動安定化装置７６が設けられている。すなわち、この移動安定化装置７６は、ロッド４８を常時基準移動範囲位置に復帰付勢させるとともに、該モータ３０が該ロッド４８の基準移動範囲を超えて回転するときには該モータ３０自体を横移動させるものである。
【００５１】
図５ないし８において、この移動安定化装置７６は、ロッド４８を横方向のある基準移動範囲位置に向けて常時付勢する付勢装置７８と、変換機構３２の第１長孔６０内の移動範囲を越える方向にロッド４８が向かうようにモータの回転軸が回動するとモータ自身を横移動させ、予め設定したモータの横移動限度位置（停止位置）を感知する感知装置４２を備えている。
【００５２】
図において、支持枠３４と固定羽根２２の第１長孔６０に対応する位置に取りつけられたガイド枠５８との中間位置には中空の付勢箱８０が固定羽根２２に取りつけられている。そして、この付勢箱８０の両側壁を貫通してロッド４８が回転自在に軸支されている。この付勢箱８０内であって該ロッド４８の略中央部には該ロッド４８にその内輪８２を貫通された軸受８４がＥリング等の規制部材８６によりロッド４８の長手方向に移動できないように支持されている。そしてこの付勢箱８０内であって該軸受８４の両側にはロッド４８に嵌装されて付勢部材としてのコイルバネ８８が設けられている。
【００５３】
付勢装置７８は、ロッド４８を所定の横方向基準移動範囲位置に付勢し、第１移動コマ５６が第１長孔６０内の移動範囲内を移動するときにはその付勢力を作用させないとともに、該移動コマがその移動範囲を超えるようにロッド４８を移動させるようにモータ３０が回転する時にはロッド４８を基準位置に復帰させる付勢力を与える。
【００５４】
付勢力の基準位置は、例えば同一のバネ力のコイルバネを用いて付勢箱８０の横方向の中央としておいても良い。このとき所定のバネ力で軸受８４を中央に付勢している。したがってロッド４８も常時は横方向ではこの基準移動範囲位置にあり、この状態でモータが回転駆動すれば、その回転が変換機構３２により可動羽根２４の上下スライド移動を生じさせる。そして、第１移動コマ５６は固定羽根２４の第１長孔６０の孔端部に到達した時ロッド４８の螺子溝部５０と第１移動コマ５６との螺合によるロッド４８の横移動力はモータ３０にかかり、該モータ３０自体を引張、あるいは押動させることとなる。
【００５５】
このように常時はロッド４８を任意の基準移動範囲位置に付勢させた状態で横移動自在に浮動支持させ、第１移動コマが第１長孔６０の移動範囲を超える方向にさらにモータ３０を回転させるようにすることにより、同第１長孔６０内の第１移動コマ５６の移動端までの駆動力を確実に可動羽根２４に対して伝達でき、これによって各羽根２２、２４の通気孔２２ａ、２４ａの連通孔２３の開閉を確実、かつ正確に制御することができる。よって、設定値に対する室内等の負荷状態との温度差等を検知し、設定値に向かわせるような正確な量、及び質の空調空気を負荷側に供給すべきＶＡＶダンパーの機能を充分に実現させることができることとなる。
【００５６】
さらに、この移動安定化装置７６は感知装置４２を備えており、この感知装置は、前述のように前記モータ３０の両側離隔位置に配置されている。すなわち、モータ３０から突設された叩打ピン４１を挟装するような位置であって支持枠３４の上板下面側に感知装置としてのマイクロスイッチ４４が取りつけられている。そして、モータに取りつけられた叩打ピン４１が左右いずれかのマイクロスイッチを叩打すると、モータ３０が停止し、連通孔２３の全開あるいは全閉状態を確実に保持するとともに、それ以上に同方向に移動させるようなモータの回転を行なわせないようにしてモータの焼損等を防止し、もって、ＶＡＶダンパーあるいはＶＡＶシステムの耐久性、及び作動の信頼性を確保するものである。
【００５７】
図１２は、前記した固定羽根及び可動羽根の通気孔２２ａ、２４ａの他の実施例を示しており、この実施例では、風流れ上流側に位置する可動羽根２４の通気孔２４ａは断面視風流れ上流側に向けて拡大するように形成されている。さらに、この実施例では、通気孔２４ａの風流れ上流側の流入開口前面部分は断面Ｒ状に面取りして形成されている。このようにパンチング孔の１つ１つを風流れ上流側に向けて拡大するように形成することにより孔から流入する際の気流の流れが円滑になり、圧力損失を減少させ、騒音の発生も減少させることができる。各羽根の表裏面のいずれか、あるいは両面ともにこのようなラッパ状の面取り構成としても良い。また、各羽根の表面には電着その他の手法を用いた合成樹繊維等からなる植毛被覆を行なっても良く、消音効果、あるいは結露防止効果を保持し得る。風流れ上流側に向けて拡大する孔形状はいわゆるテーパ状あるいは台形状の孔、ラッパ状の孔その他具体的な孔の拡大の角度は任意の構成としても良い。
【００５８】
通気孔２２ａ、２４ａは図１３に示すようにともに断面台形状あるいはラッパ状の孔を穿孔させ、これをそれぞれ風流れ上流側に向けて拡大するように配置させ、いわばタンデム型の孔の配置となるように各羽根２２、２４を設けても良い。これによって、工作上、組立上の誤差により固定羽根と可動羽根の孔位置が直状孔どうしの場合に全開時に若干ずれた状態になると正確に一致した状態に比べ著しく圧損が増大するのに対し、この図１３の実施例では、直状孔が正確に同心状に配置されたときに比較して若干圧損が高くなるが、全開時のずれた状態に比較してはるかに圧損が低くなり、しかも工作上の誤差が吸収できるので製品による圧損のバラツキがなくなるものである。
【００５９】
次に、本発明の実施例に係るダンパー装置１０の作用について説明する。図６に示すように、付勢箱８０内のコイルバネ８８に付勢されてロッド４８は基準移動範囲位置として設定された例えば常時該付勢箱８０の横方向略中央位置に所要のバネ付勢力により付勢されている。この基準位置はバネ力、バネ長等により任意の位置に設定しても良い。軸受８４はロッド４８に対し、横方向に対しては移動しないようになっている。したがって、ロッド４８が移動すると、軸受８４も同時に移動し、そのときは両側のいずれかのコイルバネ８８を圧縮することとなる。
【００６０】
実施例において、図６の軸受８４が付勢箱８０内の中央位置にある時には可動羽根２４は固定羽根２２に対して連通孔２３を半開状態とする位置にある。この状態からモータが回転し、ロッド４８を進行方向に対して右回転すると、螺進により第１移動コマ５６を図上左方向に移動させる。このとき第１移動コマ５６はロッド４８と直列状に形成された固定羽根２２の第１長孔６０に沿って移動する。第１移動コマ５６の軸端は、該第１長孔と連通状に配置され、かつ斜めに交差するように配置された可動羽根２４の第２長孔６２を貫通しているから、該第２長孔６２内の第１移動コマの動きは可動羽根２４を上方に移動させるものとなる。そして、ロッド４８の回転が継続すると固定羽根の第１長孔６０の孔端まで移動する。このとき付勢箱８０内の軸受８４は付勢された位置を移動することなく中央位置を保持している。
【００６１】
第１移動コマ５６が第１長孔６０の孔端にある状態からさらにモータ３０が回転すると、該第１移動コマ側は移動できないから螺進退により横移動力はモータ３０自体を移動させることとなる。そして、モータ自体の横移動により図７上、右側の感知装置としてのマイクロスイッチ４４をモータに固定された叩打ピン４１が叩打すると、可動羽根２４は連通孔２３を全開状態にし、この状態でモータは停止する。
【００６２】
可動羽根２４を下方に移動させて連通孔２３を全閉とするときにはモータ３０及びロッド４８が逆回転し、軸受８４を基準位置状態に復帰させて可動羽根２４を下方に移動させる。そして、前記した連通孔２３の全開状態に向けての動きとは逆の順序で螺進退、移動コマ５６の移動があり、連通孔を全閉状態とし、さらに可動羽根の移動方向にモータが逆回転すると、モータ自体が逆方向に移動して図８に示すように図上左側のマイクロスイッチ４４に当接し、スイッチングを行なってモータを停止させ、全閉状態を確実に保持する。これによって、モータ３０、ロッド４８を介して第１移動コマ５６の移動、ひいては可動羽根２４のスライド移動を安定化させ、装置の作動信頼性を確保するものである。
【００６３】
これによって、一種のバックラッシュ状態、あるいは遊びが全くない高精度の可動羽根の上下移動が実現でき、よって、室内等の負荷状態に対応した高精度の風量調整が可能となるものである。本実施例では外枠部材１１として、四角枠状のグリル枠に縦グリル羽根、及び横グリル羽根を設けたものを例示しているが、この外枠部材は図１６、１７に示すように、ノズル形状のものでも良い。
【００６４】
図において、室内壁内には空気の流路としてのダクトが配設されており、このダクト内には端部側を室内その他の空気の吹き出し空間に近接してケーシング１２が装着されている。そして、このケーシングの前面、すなわち、空気の吹き出し空間に面するようにして外枠部材１１としての横長矩形のノズル枠本体９０が壁面Ｗからやや突出させて該ケーシング１２に対して着脱自在に設けられている。ノズル枠本体９０は空気の流れ上流側にラッパ状に拡開させた入口９０ａを有しこれに連接された円筒形の出口９０ｂを備えた横に１列に配置された３個のノズル体９２を備えている。このノズル体９２はノズル枠本体９０に対して略全方向に出口側を回動可能なように構成されている。他の構成は上記したグリル枠を備えたダンパーと同一の構成であるが、このように外枠部材１１はノズル形状として構成されていても良い。また、その他の枠部材で羽根を備えたものでも良い。羽根は固定的に用いたり、ルーバのように可動にしたものでも良い。また、それらの組み合わせの態様としても良い。
【００６５】
このように、着脱可能或は着脱自在の外枠部材を空気の吹き出し空間に面してケーシングに取りつけられるようにし、かつ、該ケーシング内部に多孔の固定羽根に対して多孔の可動羽根をスライド移動自在に駆動させるようにし、それらの通気孔を連通させつつ開閉させるようにするから、ケーシングから外枠部材を含めても全体として非常に薄型に構成でき、しかも、これが風量制御用の空調ダンパーであるから、従来壁面や壁の裏面側などに設置されていた空調用ダンパーの新設、交換等が極めて簡単に行なえ、また、保守、メンテナンスが従来に比較して飛躍的にやりやすくなるものである。
【００６６】
なお、図１８に示すように、このダンパー装置１０のケーシングを建物の壁に設けられ、室内に開口させた流路Ｐとしてのダクト孔に挿入できるように形成し、ダンパ羽根部１６、駆動装置２８、制御部等をケーシングの内部に組み込んで室内側からこのケーシングを挿入して壁内に埋め込み状に設置し、外枠部材１１のみを室内側に露出させて取付けても良い。特に、建物の新築工事の場合には壁内のダクト穴径自体を予め大きく形成しておくことが可能であるから、これが効果的に実施でき、この場合には、室内への突出部は単に外枠部材としてのグリルのみとなり、室内意匠上より好適となる。この場合、例えば、外枠部材１１としてのグリル枠１４はケーシング１２に対して接合部８９としての内壁側嵌着部で簡単に差し込み状に着脱できるようにしており、施工性が良好である。接合部８９は、ケーシング１２との連結を行なうものであり、任意の方法で、ケーシングの任意の部分に設定しても良い。
【００６７】
次に、本発明のダンパー装置１０の変換機構部分を異ならしめた他の実施例について図１９、図２０を参照しながら説明するが、上記した第１実施例と同一部材には同一符号を付し、その説明を省略する。この第２実施例の構成は該変換機構部分以外は第１実施例と同一の構成となっている。モータ３０及びロッド４８、付勢箱８０、移動安定化装置７６も第１実施例と同一の構成となっている。
【００６８】
この実施例の変換機構３２は、図１９、２０に示すように、ロッド４８の端部側に対応する位置の固定羽根２２に設けられ、該ロッド４８の長手方向に沿うように形成された第１長孔６０と、端部がこの第１長孔６０を貫通して設けられ、基部側を前記可動羽根２４に立設固定されたピン９４を有する第２移動コマ９６とを備えている。
【００６９】
すなわち、この実施例では、第１実施例のように可動羽根２４には第２長孔６２は設けられておらず、図２０に示すようにピン９４の端部は可動羽根２４に直接に固定されている。可動羽根は例えば、鋼板などから製作される場合にはピン９４を直接に溶接などを用いて固定しても良いし、アルミニウムの型成型などで製造する場合には、ピン９４をパイプビスとして裏面側からビス止めしたり、或は接着その他の任意の固定方法を用いて良い。なお、この実施例では、固定羽根２２の四隅４箇所には横方向に長い長孔９７が穿孔され、可動羽根２２に固定立設されたピン２７がこの長孔内を貫通して可動羽根は横方向にスライド移動することとなる。
【００７０】
この実施例では、第２移動コマ９６はピン９４を介して連結固定されているから第２移動コマ９６の進退移動によりそのまま可動羽根２４を固定羽根２２に対してスライド移動させることとなる。したがって、第２移動コマの進退移動によりそのまま可動羽根をその進退移動方向に移動させることができ、駆動のための構造が簡単で、部品点数が少なくて低コストで製造できる。また、モータの回転力は螺合構成による直線運動への１回の変換で可動羽根を横スライド移動させるから変換効率上無駄がなく、駆動のための精度を向上させる。すなわち、この場合は可動羽根２４が横方向にスライドしながら、通気孔を開閉させる場合に好適に用いられるものである。
【００７１】
そして、この場合でも、前記した移動安定化装置７６により、ロッド４８を常時基準移動範囲位置に復帰付勢させるとともに、モータ３０が前記ロッド４８の基準移動範囲を超えて回転するときには該モータ自体を横移動させ、これによって、ロッド４８の回転、第２移動コマ９６、ひいては可動羽根２４のスライド移動を安定して行なわせ、ダンパ機能の実効を確保するものである。そして一種のバックラッシュ状態、あるいは遊びが全くない高精度の可動羽根の左右方向移動が実現でき、よって、室内等の負荷状態に対応した高精度の風量調整が可能となるものである。本発明に係るダンパー装置は上記した実施例構成にのみ限定されるものではなく、特許請求の範囲に記載した発明の本質を逸脱しない範囲において任意の改変を行なっても良いものである。
【００７２】
【発明の効果】
以上、説明した様にダンパー装置の発明によれば、風の流路に接続又は押し込み取付けされる中空のケーシングと、このケーシング前面に着脱自在に設けられ、空気の吹き出し空間に面して取りつけられる外枠部材と、前記ケーシングの内部側であって前記流路に交差するように設けられ、複数の通気孔を備えた固定羽根と、この固定羽根に対して摺動自在に設けられ、該固定羽根の通気孔に対応する近傍位置に設けられた複数の通気孔を備える可動羽根と、を有するダンパ羽根部と、前記可動羽根を駆動させて前記固定羽根と該可動羽根の通気孔を連通させつつ開閉させる駆動装置と、を有し、前記駆動装置は、モータと、このモータの回転を前記可動羽根のスライド移動に変換させる変換機構と、を備えているので、吹出口としての機器と、空調ダンパーとしての機器を一体化させることができ、設備コストを低減させることができるとともに、しかも空調用ダンパーを低騒音で在室者に至近の位置、すなわち、室内空間に面して配置使用させることが可能であるばかりでなく、新設、交換取付、保守、点検が非常に簡単で、グリル型の吹出口でありながら、ＶＡＶダンパーとして多目的に機能し得るという効果を奏する。また、壁のダクト流路の開口より室内側からケーシングを挿入させることが可能で、施工性が大幅に向上するとともに、ケーシングを壁内に埋め込み状に設置すれば、外枠部材のみを室内に露出させて取付でき、室内突出幅が小さくなるから圧迫感をなくして室内意匠感を良好に保持させることが可能である。さらに、スライド式の可動羽根を上下に移動させることにより室内側のグリル羽根の回動を上下方向への回動のみとして羽根変向時にも室内意匠感を良好に保持でき、しかも取付、保守、点検が簡単で、グリル型の吹出口でありながら、ＶＡＶダンパーとして多目的に機能し得るという効果を奏する。
【００７３】
また、前記モータの回転軸にはロッドが接続されるとともに、このロッドの他端部は前記変換機構に接続され、前記モータ、ロッド及び変換機構は空気の流れに交差し、かつ、横方向に直列状に連結配置されているので、薄型のケーシング構成にさらに薄型の固定羽根と可動羽根のスライド式のダンパー羽根構造であって、ケーシング内部に一体化させて駆動装置を設置させることを可能とし、装置の薄型、コンパクト化を確実に実現させるとともに、空気の吹き出し空間の温湿度状態を感知しながら設定された空調環境に近づけるようにするＶＡＶダンパーとして用いることが可能である。
【００７４】
さらに、前記変換機構は、前記ロッドの端部側に対応する位置の固定羽根に設けられ、該ロッドの長手方向に沿うように形成された第１長孔と、前記可動羽根に設けられ、この第１長孔に略対応する位置に形成され、かつ、この第１長孔と交差する方向に形成された第２長孔と、前記ロッドに接続され、前記固定羽根の第１長孔と可動羽根の第２長孔を連通状態で該第１長孔内を移動する第１移動コマと、を含むので、例えば、横長形の形状が限られたダンパー装置において、横長のロッドの長手方向の動きを簡単な構成で、円滑な上下の動きに変換させることができ、低コストのＶＡＶダンパーであり、しかも、取付、交換性、低騒音性を達成させた吹出口部分に効果的に適用させることのできるダンパー装置を得ることができる。
【００７５】
さらに、前記変換機構は、前記ロッドの端部側に対応する位置の固定羽根に設けられ、該ロッドの長手方向に沿うように形成された第１長孔と、端部がこの第１長孔を貫通して設けられ、基部側を前記可動羽根に立設固定されたピンを有する第２移動コマと、を含むようにしたので、第２移動コマの進退移動によりそのまま可動羽根をその進退移動方向に移動させることができ、駆動のための構造が簡単で、部品点数が少なくて低コストで製造できるとともに、モータの回転力は螺合構成による直線運動への１回の変換で可動羽根を横スライド移動させるから変換効率の無駄がなく、駆動のための精度を向上させることができる。
【００７６】
さらに、前記変換機構は、前記ロッドの端部側と前記第１又は第２移動コマとを螺合連結させる螺合連結部を含み、該ロッドの回転とともに、前記第１又は第２移動コマを螺進退させるようにしたので、モータの回転力を極めて簡単な構造で移動コマの直進移動に変換させることができ、低コストで、故障が少なく、保守、点検も簡単に行なえる。
【００７７】
さらに、前記モータ、ロッド及び変換機構は、前記外枠部材と、前記ダンパ羽根部との間に配置されているから、室内前面側に駆動装置を備えることとなり、グリル枠を簡易に脱着して駆動機器の保守、点検等が容易であるだけでなく、風速センサとの取付バランスがよく、上流側に配置する風速センサの周囲に風の流れを妨げるものがなく、高精度の風速検出を行なうことが可能となる。
【００７８】
さらに、前記モータは横移動自在に支持され、前記モータ近傍には前記ロッドを常時基準移動範囲位置に復帰付勢させるとともに、前記モータが前記ロッドの基準移動範囲を超えて回転するときには該モータ自体を横移動させる移動安定化装置が設けられることとしているので、モータの回転軸に連結させたロッドによる第１又は第２の移動コマ、ひいては可動羽根の縦、又は横のスライド移動を安定して、かつ円滑に行なわせ、装置の作動信頼性を確保させることが可能である。また、モータへの過負荷を防止してモータの焼損を防止することが可能である。
【００７９】
さらに、前記移動安定化装置は、前記ロッドを所定の基準移動範囲位置に付勢し、前記第１又は第２移動コマが第１長孔内の移動範囲を移動するときにはその付勢力を作用させないとともに、該第１又は第２移動コマがその移動範囲を超える方向に前記ロッドが向かうように前記モータが回転する時には該ロッドを基準移動範囲位置に復帰させる付勢力を付与する付勢装置と、前記モータの両側離隔位置に配置され、前記第１又は第２移動コマが第１長孔内の移動端に至りさらに該モータが回転する時には該モータ自体を横移動させ、該モータに当接して停止位置を感知する感知装置と、を備えているので、第１長孔内の移動端から他の移動端への移動コマの移動が確実であり、よって可動羽根の上下移動端位置が非常に明確となるからＶＡＶダンパーとして用いるような場合に移動制御量に見合った確実な供給風量を設定でき、ＶＡＶシステムの実効を果たすことが可能となる。
【００８０】
さらに、前記固定羽根または可動羽根のうち少なくとも風流れ上流側に配置された羽根の通気孔は断面視風流れ上流側に向けて拡大するように形成されているので、孔から流入する際の気流の流れが円滑になり、圧力損失を減少させるとともに、騒音の発生も大幅に減少させることが可能となる。また、固定及び可動羽根のそれぞれの孔を風流れ上流側に向けて拡大するようにタンデム状に配置させることにより、低圧損を維持しつつ製品製作上の誤差を吸収でき、使用時の圧力損失のバラツキを減少させることが可能である。
【図面の簡単な説明】
【図１】  本発明の実施例に係るダンパー装置の概略正面説明図である。
【図２】  図１においてグリル枠を取り外した状態の概略正面図である。
【図３】  実施例の装置を壁面に取りつけた状態の拡大縦断面説明図である。
【図４】  図１の装置を背面側から見た一部省略背面説明図である。
【図５】  実施例に係るダンパー装置の要部拡大一部省略斜視図である。
【図６】  実施例に係るダンパー装置の縦断面説明兼作用説明図である。
【図７】  実施例に係るダンパー装置の縦断面説明兼作用説明図である。
【図８】  実施例に係るダンパー装置の縦断面説明兼作用説明図である。
【図９】  実施例に係るダンパー装置のガイド枠部分の要部拡大縦断面説明図である。
【図１０】  実施例に係るダンパー装置の付勢箱内の軸受部分の要部拡大縦断面説明図である。
【図１１】  実施例に係るダンパー装置の施工例の概略全体斜視図である。
【図１２】  固定及び可動羽根の開口縁部分の他の実施例に係る要部拡大断面説明図である。
【図１３】  固定及び可動羽根の開口縁部分及びその異なる配置に係る他の実施例の要部拡大断面説明図である。
【図１４】  実施例に係るダンパー装置の風速センサの支持構造を異ならしめた他の実施例に係る拡大縦断面説明図である。
【図１５】  実施例に係るダンパー装置の在室者の視野からの取付位置を示す説明図である。
【図１６】  実施例に係る外枠部材をノズル型として構成した場合の一部切欠正面説明図である。
【図１７】  図１６の概略横断面説明図である。
【図１８】  ケーシング全体を流路内に埋め込み状に設置させ、外枠部材部分のみを室内に露出させて施工させた実施例断面説明図である。
【図１９】  本発明の第２実施例に係るダンパー装置の変換機構の移動コマと可動羽根を固定状態とした場合の要部拡大概略斜視説明図である。
【図２０】  同第２実施例のガイド枠部分の要部拡大縦断面説明図である。
【図２１】  従来のグリル型吹出口の設置状態を示す概略構成斜視説明図である。
【符号の説明】
１０  ダンパー装置
１１  外枠部材
１２  ケーシング
１４  グリル枠
１６  ダンパ羽根部
２２  固定羽根
２２ａ  通気孔
２３  連通孔
２４  可動羽根
２４ａ  通気孔
２６  長孔
２８  駆動装置
３０  モータ
３０ａ  回転軸
３２  変換機構
４２  感知装置
４８  ロッド
５０  螺合連結部
５０ａ  螺子溝
５６  第１移動コマ
６０  第１長孔
６２  第２長孔
７４  風速センサ
７６  移動安定化装置
７８  付勢装置
８４  軸受
９６  第２移動コマ
【図１】
0003852037.tif 000002
【図２】
0003852037.tif 000003
【図４】
0003852037.tif 000004
【図３】
0003852037.tif 000005
【図５】
0003852037.tif 000006
【図６】
0003852037.tif 000007
【図７】
0003852037.tif 000008
【図８】
0003852037.tif 000009
【図９】
0003852037.tif 000010
【図１０】
0003852037.tif 000011
【図１１】
0003852037.tif 000012
【図２１】
0003852037.tif 000013
【図１２】
0003852037.tif 000014
【図１５】
0003852037.tif 000015
【図１３】
0003852037.tif 000016
【図１４】
0003852037.tif 000017
【図１６】
0003852037.tif 000018
【図１７】
0003852037.tif 000019
【図１８】
0003852037.tif 000020
【図１９】
0003852037.tif 000021
【図２０】
0003852037.tif 000022